(57)【要約】【課題】室内空間を形成する壁面と所定の間隔を空けて該壁面に平行に吸音パネルを設置する吸音パネルシステム及び吸音パネルの設置方法において、吸音パネルを吸音性能のよい所定の位置に容易に設置できるようにする。【解決手段】吸音パネル２０を備え、室内空間を形成する壁面Ｗと所定の距離を空けて該壁面Ｗに平行に吸音パネル２０を設置する吸音パネルシステム１０は、室内空間の壁面Ｗから所定の距離を空けた位置において、室内空間の上部から下部へ設置されたワイヤー１１を備え、吸音パネル２０は、ワイヤー１１に取り付けられている。【選択図】図１
2018031121.tif 000002
【特許請求の範囲】
【請求項１】
吸音パネルを備え、室内空間を形成する壁面と所定の距離を空けて該壁面に平行に上記吸音パネルを設置する吸音パネルシステムであって、
上記室内空間の上記壁面から上記所定の距離を空けた位置において、該室内空間の上部から下部へ延びるように設置された線条部材を備え、
上記吸音パネルは、上記線条部材に取り付けられている
ことを特徴とする吸音パネルシステム。
【請求項２】
請求項１において、
上記線条部材に取り付けられ、上記吸音パネルを着脱自在に保持する保持具を備え、
上記吸音パネルは、上記保持具によって上記線条部材に取り付けられている
ことを特徴とする吸音パネルシステム。
【請求項３】
請求項１又は２において、
上記線条部材は、平行に並ぶ２本のワイヤーによって構成され、
上記吸音パネルは、上記２本のワイヤーのそれぞれに取り付けられ、該２本のワイヤーの間に保持されている
ことを特徴とする吸音パネルシステム。
【請求項４】
請求項１乃至３のいずれか１つにおいて、
上記室内空間の上部と下部に、上記壁面に平行に延びるレール部材が互いに平行に設置され、
上記線条部材は、上記２本のレール部材に、該レール部材の長手方向にスライド可能に取り付けられている
ことを特徴とする吸音パネルシステム。
【請求項５】
請求項１乃至４のいずれか１つにおいて、
上記吸音パネルは、多数の貫通孔が形成された透明又は透光性を有する材料で構成された板状体によって構成されている
ことを特徴とする吸音パネルシステム。
【請求項６】
室内空間を形成する壁面と所定の距離を空けて該壁面に平行に吸音パネルを設置する吸音パネルの設置方法であって、
上記室内空間の上記壁面から上記所定の距離を空けた位置において、該室内空間の上部から下部へ延びるように線条部材を設置する線条部材設置工程と、
上記吸音パネルを上記線条部材に取り付けるパネル取付工程とを備えている
ことを特徴とする吸音パネルの設置方法。
【請求項７】
請求項６において、
上記パネル取付工程では、上記線条部材に取り付けられて上記吸音パネルを着脱自在に保持する保持具に該吸音パネルを保持させることによって該吸音パネルを上記線条部材に取り付ける
ことを特徴とする吸音パネルの設置方法。
【請求項８】
請求項６又は７において、
上記線条部材は、平行に並ぶ２本のワイヤーによって構成され、
上記線条部材設置工程では、上記２本のワイヤーを、互いに平行に上記室内空間の上部から下部へ延びるようにそれぞれ設置し、
上記パネル取付工程では、上記２本のワイヤーに上記吸音パネルをそれぞれ取り付けることによって該吸音パネルを上記２本のワイヤーの間に保持する
ことを特徴とする吸音パネルの設置方法。
【請求項９】
請求項６乃至８のいずれか１つにおいて、
上記線条部材設置工程は、
上記室内空間の上部と下部とに、上記壁面に平行に延びるレール部材を互いに平行に設置するレール設置工程と、
上記線条部材を、上記２本のレール部材に、該レール部材の長手方向にスライド可能に取り付ける線条部材取付工程とを備えている
ことを特徴とする吸音パネルの設置方法。
【発明の詳細な説明】
【技術分野】
【０００１】
本発明は、室内空間を形成する壁面と所定の間隔を空けて該壁面に平行に吸音パネルを設置する吸音パネルシステム及び吸音パネルの設置方法に関するものである。
【背景技術】
【０００２】
従来、エントランス空間の外壁材やオフィス空間の間仕切り材として、ガラスパネルが多用されている。このようなガラスパネルを外壁材や間仕切り材として用いると、内部空間の視認性の向上や採光の確保を図ることができる。一方、ガラスパネルは音を吸収せず、そのほとんどを反射してしまうため、内部の空間で音が反響し易く、会議室などの間仕切り材として用いる場合には、吸音性能の観点から問題があった。
【０００３】
そこで、ガラスやプラスチックなどの透明な材料で構成された透明パネルに、無数の微細な孔を形成した吸音パネルを形成し、ガラスパネルからなる間仕切りや外壁の前に設置して音を吸収させる吸音方法が提案されている（例えば、下記特許文献１を参照）。
【先行技術文献】
【特許文献】
【０００４】
【特許文献１】特表平８−５１００２０号公報
【発明の概要】
【発明が解決しようとする課題】
【０００５】
しかしながら、上述のような無数の微細孔が形成された吸音パネルは、裏側に空気層がなければ吸音性能を発揮できない。そのため、上記吸音パネルは、間仕切りや外壁などの壁面に固定するのではなく、該壁面とある程度の距離を空けて、壁面の前に設置しなければならない。その設置方法として、例えば、格子状の構造体に複数の吸音パネルを固定して自立させることが考えられるが、そのような構造では、予め吸音パネルを構造体に組み付ける必要があり、設置を容易に行えない。
【０００６】
本発明は、かかる点に鑑みてなされたものであり、その目的は、室内空間を形成する壁面と所定の間隔を空けて該壁面に平行に吸音パネルを設置する吸音パネルシステム及び吸音パネルの設置方法において、吸音パネルを吸音性能のよい所定の位置に容易に設置できるようにすることにある。
【課題を解決するための手段】
【０００７】
上記の目的を達成するために、本発明では、室内空間を形成する壁面と所定の間隔を空けて該壁面に平行に吸音パネルを設置する吸音パネルシステムにおいて、壁面と所定距離だけ離れた位置において、線条部材を該室内空間の上部から下部へ延びるように設置し、該線条部材に吸音パネルを取り付けるように構成した。
【０００８】
具体的には、第１の発明は、吸音パネルを備え、該吸音パネルを、室内空間を形成する壁面と所定の距離を空けて該壁面に平行に設置するように構成された吸音パネルシステムを前提としている。
【０００９】
そして、第１の発明に係る吸音パネルシステムは、上記室内空間の上記壁面から上記所定の距離を空けた位置において、該室内空間の上部から下部へ延びるように設置された線条部材を備え、上記吸音パネルは、上記線条部材に取り付けられていることを特徴とする。
【００１０】
第１の発明では、このように、室内空間の上部から下部へ延びるように線条部材を設置し、この線条部材に吸音パネルを取り付けることによって、吸音パネルが壁面から所定の距離を空けた所定の位置に設置されるように構成した。このような構成により、吸音パネルを壁面から所定の距離を空けた位置に容易に設置することができる。
【００１１】
また、第１の発明では、吸音パネルを線条部材に取り付けることとしている。そのため、例えば、吸音パネルの背後の壁面が、ガラスパネルなどの透明な材料で構成されている場合に、格子状の構造体に複数の吸音パネルを取り付けて自立させるような構成では、格子部分によって視認性と美観が低下してしまうが、細い線条部材を用いることにより、このような視認性と美観の低下を抑制することができる。
【００１２】
第２の発明は、第１の発明において、上記線条部材に取り付けられ、上記吸音パネルを着脱自在に保持する保持具を備え、上記吸音パネルは、上記保持具によって上記線条部材に取り付けられていることを特徴とする。
【００１３】
第２の発明では、吸音パネルを線条部材に取り付ける保持具として、吸音パネルを着脱自在に保持する保持具を用いることとした。そのため、線条部材を取り外すことなく、線条部材から吸音パネルを容易に取り外すことができる。よって、吸音パネルのメンテナンスや交換を容易に行うことができる。また、このような簡単な構成によれば、線条部材に沿って、複数の吸音パネルを並べて配置することも容易であり、また、このように複数の吸音パネルを取り付けた場合に、１枚の吸音パネルだけが破損した際にも、線条部材を取り外すことなく、１枚の吸音パネルのみを線条部材から取り外すことができるため、補修作業を容易に行うことができる。
【００１４】
第３の発明は、第１又は２の発明において、上記線条部材は、平行に並ぶ２本のワイヤーによって構成され、上記吸音パネルは、上記２本のワイヤーのそれぞれに取り付けられ、該２本のワイヤーの間に保持されていることを特徴とする。
【００１５】
第３の発明では、吸音パネルを取り付ける線条部材を２本のワイヤーで構成することとした。ワイヤーは非常に細く目立たない線条部材であるため、背後の壁面が透明である場合に、該壁面の視認性の低下と美観の低下を招くことなく、吸音パネルを吸音性能のよい所定の位置に容易に設置することができる。また、場所をとらないワイヤーを用いることにより、コンパクトに吸音パネルを設置することができる。
【００１６】
また、第３の発明によれば、各吸音パネルが２本のワイヤーに取り付けられることにより、各吸音パネルが揺れやすくなる。吸音パネルの背後には、壁面との間に空気層が形成されているため、このように吸音パネルを揺れやすくすることにより、人や物が吸音パネルに衝突した際に、吸音パネルが揺れることによって衝撃が緩和され、吸音パネルや物が破損したり、人がけがをしたりすることを防止することができる。
【００１７】
第４の発明は、第１乃至３のいずれか１つの発明において、上記室内空間の上部と下部に、上記壁面に平行に延びるレール部材が互いに平行に設置され、上記線条部材は、上記２本のレール部材に、該レール部材の長手方向にスライド可能に取り付けられていることを特徴とする。
【００１８】
第４の発明では、吸音パネルが取り付けられる線条部材を、室内空間の上部と下部のそれぞれに互いに平行に設置された壁面に平行に延びる２本のレール部材にスライド可能に取り付けることとした。このような構成により、吸音パネルを線条部材に取り付けて壁面の前に設置した状態で、線条部材をレール部材に沿ってスライドさせるだけで、吸音パネルの左右方向の位置を容易に変更することができる。これにより、その時々に合わせて、吸音パネルの位置を、吸音効果の高い位置に移動させることにより、少ない吸音パネルで高い吸音効果を奏することができる。また、このような構成によれば、吸音パネルが取り付けられる線条部材を容易に増設することができる。これにより、室内空間の使用状況に合わせて、設置する吸音パネルを容易に増やすことができ、吸音パネルシステムの吸音性能や意匠性を、状況に合わせて容易に変更することができる。
【００１９】
第５の発明は、第１〜４のいずれか１つの発明において、上記吸音パネルは、多数の貫通孔が形成された透明又は透光性を有する材料で構成された板状体によって構成されていることを特徴とする。
【００２０】
第５の発明では、吸音パネルが透明又は透光性を有する材料で構成されているため、吸音パネルを設置することによる視認性の低下及び美観の低下を抑制することができる。また、背後の壁面が透明又は透光性を有する材料で構成されている場合に、吸音パネルによって壁面の外部からの光が遮られないので、吸音パネルを設けても、室内空間における採光を確保することができる。
【００２１】
第６の発明は、室内空間を形成する壁面と所定の距離を空けて該壁面に平行に吸音パネルを設置する吸音パネルの設置方法が対象である。
【００２２】
そして、第６の発明に係る吸音パネルの設置方法は、上記室内空間の上記壁面から上記所定の距離を空けた位置において、該室内空間の上部から下部へ延びるように線条部材を設置する線条部材設置工程と、上記吸音パネルを上記線条部材に取り付けるパネル取付工程とを備えていることを特徴とする。
【００２３】
第７の発明は、第６の発明において、上記パネル取付工程では、上記線条部材に取り付けられて上記吸音パネルを着脱自在に保持する保持具に該吸音パネルを保持させることによって該吸音パネルを上記線条部材に取り付けることを特徴とする。
【００２４】
第８の発明は、第６又は７の発明において、上記線条部材は、平行に並ぶ２本のワイヤーによって構成され、上記線条部材設置工程では、上記２本のワイヤーを、互いに平行に上記室内空間の上部から下部へ延びるようにそれぞれ設置し、上記パネル取付工程では、上記２本のワイヤーに上記吸音パネルをそれぞれ取り付けることによって該吸音パネルを上記２本のワイヤーの間に保持することを特徴とする。
【００２５】
第９の発明は、第６乃至８のいずれか１つの発明において、上記線条部材設置工程は、上記室内空間の上部と下部とに、上記壁面に平行に延びるレール部材を互いに平行に設置するレール設置工程と、上記線条部材を、上記２本のレール部材に、該レール部材の長手方向にスライド可能に取り付ける線条部材取付工程とを備えていることを特徴とする。
【００２６】
第６乃至第９の発明では、室内空間の上部から下部へ延びるように線条部材を設置し、この線条部材に吸音パネルを取り付けることによって、吸音パネルを壁面から所定の距離を空けた所定の位置に設置することとした。このような設置方法により、吸音パネルを壁面から所定の距離を空けた位置に容易に設置することができる。
【００２７】
また、第７の発明によれば、吸音パネルを着脱自在に保持する保持具を用いて吸音パネルを線条部材に取り付けることとしたため、逆に、吸音パネルを取り外す際にも、線条部材を取り外すことなく、保持具から吸音パネルを取り外すだけで容易に吸音パネルを取り外すことができる。よって、吸音パネルのメンテナンスや交換を容易に行うことができる。
【００２８】
さらに、第９の発明によれば、吸音パネルが取り付けられる線条部材を、室内空間の上部と下部のそれぞれに互いに平行に設置された壁面に平行に延びる２本のレール部材にスライド可能に取り付けることとしたため、吸音パネルを線条部材に取り付けて壁面の前に設置した状態で、線条部材をレール部材に沿ってスライドさせるだけで、吸音パネルの左右方向の位置を容易に変更することができる。よって、吸音パネルの設置の際に、所望の位置からずれないように配慮する必要がなく、容易に設置することができる。
【発明の効果】
【００２９】
本発明によれば、室内空間を形成する壁面と所定距離だけ離れた位置において、該室内空間の上部から下部へ延びるように設置した線条部材に吸音パネルを取り付けることにより、該吸音パネルが壁面と所定の距離を空けて該壁面に平行に設置されるようにしたため、吸音パネルを容易に吸音性能のよい所定の位置に設置することができる。
【図面の簡単な説明】
【００３０】
【図１】図１は、本発明の実施形態１に係る吸音パネルシステムが設けられた室内空間の投影図である。
【図２】図２は、本発明の実施形態１に係る吸音パネルシステムの一部を示す側面図である。
【図３】図３は、本発明の実施形態１に係る吸音パネルの設置方法の手順を示す図である。
【図４】図４は、本発明の実施形態２に係る吸音パネルシステムの一部を示す側面図である。
【発明を実施するための形態】
【００３１】
以下、本発明の実施形態を図面に基づいて詳細に説明する。以下の実施形態は、本質的に好ましい例示に過ぎず、本発明、その適用物、あるいはその用途の範囲を制限することを意図するものではない。
【００３２】
《発明の実施形態１》
図１は、本発明の実施形態１に係る吸音パネルシステム１０が設けられた室内空間を示すものである。該吸音パネルシステム１０は、複数の吸音パネル２０を、オフィス空間等の室内空間の壁面Ｗと所定の距離を空けて該壁面Ｗに平行に設置することにより、室内空間で発生した音を吸音パネル２０に吸収させるものである。なお、本実施形態１では、室内空間の壁面Ｗは、ガラスパネルで構成されている。
【００３３】
図１及び図２に示すように、吸音パネルシステム１０は、吸音パネル２０と、複数本のワイヤー（線条部材）１１と、ワイヤー固定機構１２と、複数の保持具１５とを備えている。図１の右側の壁面Ｗの前に設置された吸音パネルシステム１０では、吸音パネル２０は１６枚、ワイヤー１１は８本、保持具１５は６４個設けられている。本実施形態では、吸音パネルシステム１０には、鉛直方向に並ぶ４枚の吸音パネル２０からなるパネル列が４列形成されている。
【００３４】
吸音パネル２０は、本実施形態では、厚さ２ｍｍ、一辺の長さが５００ｍｍの正方形状の透明のアクリル板によって構成されている。また、吸音パネル２０には、孔径が０．７ｍｍの微細孔が、外縁を除くほぼ全体に多数形成され、その配列間隔（ピッチ）が５．５ｍｍとなるように形成されている。なお、本発明に係る吸音パネルの大きさ、形状及び材質は、本実施形態のものに限られない。吸音効果のある板状体であれば、いかなるものであってもよい。
【００３５】
ワイヤー１１は、本実施形態では、直径１．０ｍｍのステンレス製のワイヤーで構成されている。なお、本発明に係るワイヤーの材質及び直径は、本実施形態のものに限られない。吸音パネル２０を支持するための剛性を有するものであればいかなるものであってもよい。
【００３６】
ワイヤー固定機構１２は、２本のレール部材１３と、１６個のワイヤーグリップ１４とによって構成されている。
【００３７】
レール部材１３は、ワイヤーグリップ１４の端部をスライド自在に保持可能な保持溝が長手方向に形成されている。２本のレール部材１３は、長手方向が壁面Ｗと平行な姿勢で、天井面と床面の互いに対応する位置に固定されている。
【００３８】
ワイヤーグリップ１４は、一方の端部にワイヤー１１が挿通される挿通孔が形成されると共に、該挿通孔に挿通されたワイヤー１１が脱落しないように保持する機構を有している。また、ワイヤーグリップ１４の他方の端部は、レール部材１３の保持溝にスライド自在に保持される形状に形成されている。
【００３９】
なお、レール部材１３とワイヤーグリップ１４とは、上述の機能を発揮するものであれば、いかなるものを用いてもよい。例えば、レール部材１３として既存のピクチャーレールを用いることも可能である。
【００４０】
保持具１５は、ワイヤー１１が挿通される挿通孔が上下に貫通し、該挿通孔に挿通されたワイヤー１１に沿って移動可能に形成されると共に、ワイヤー１１の任意の位置で移動を規制して固定するストッパ機能を有するように構成されている。また、保持具１５は、側部が、吸音パネル２０の外縁部を挟持する挟持部に構成されている。挟持部は、吸音パネル２０を着脱可能に保持可能なものであればいかなる構成でもよい。例えば、吸音パネル２０の側縁部を前後に挟み込む挟持部を有し、この挟持部の間隔がネジなどの容易な機構によって変更できる構成を適用することができる。このような構成の保持具１５によれば、ワイヤー１１に取り付けられた状態で吸音パネル２０を着脱自在に保持することができる。また、ワイヤー１１上において吸音パネル２０の高さ位置を容易に変えることができる。
【００４１】
なお、保持具１５は、上述した機能を発揮するものであれば、いかなるものを用いてもよい。また、本実施形態１では、保持具１５は、各吸音パネル２０の左右の側縁部の上端と下端とをそれぞれ挟持するように設けられ、各吸音パネル２０を４点で保持しているが、このような構成に限られず、２点で保持する構成や、４点以上の点で保持する構成であってもよい。
【００４２】
ところで、上述のような微細孔が多数形成された吸音パネル２０で、十分な吸音性能を発揮させるためには、背面側にすぐに壁面Ｗが位置するのではなく、壁面Ｗとの間に空気層を形成することが必要となる。そのため、本実施形態１では、吸音パネルシステム１０は、各吸音パネル２０と壁面Ｗとの距離が３０〜５０ｍｍとなるように設置されている。
【００４３】
−吸音パネルの設置方法−
以下、本発明に係る吸音パネルシステム１０を用いた吸音パネル２０の設置方法について説明する。図３に示すように、本実施形態１では、線条部材設置工程と、保持具取付工程と、パネル取付工程とを行うことによって、複数の吸音パネル２０が、吸音性能のよい所定の位置（壁面Ｗとの距離が３０〜５０ｍｍの位置）に設置される。
【００４４】
［線条部材設置工程］
線条部材設置工程は、線条部材であるワイヤー１１を、壁面Ｗから所定の距離を空けた位置において、室内空間の上部から下部へ延びるように設置する。具体的には、ワイヤー１１を、室内空間を形成する天井面と床面へ架け渡すように取り付ける。本実施形態では、線条部材設置工程は、レール設置工程と、線条部材取付工程とによって構成されている。
【００４５】
レール設置工程では、天井面と上記床面との互いに対応する位置に、壁面Ｗと所定の距離を空けて該壁面Ｗに平行に延びるように２本のレール部材１３をそれぞれ固定する。レール部材１３の固定手段はネジであってもよく、その他いかなるもので固定してもよい。
【００４６】
線条部材取付工程では、８本のワイヤー１１を、２本のレール部材１３に、該レール部材１３の長手方向にスライド可能に取り付ける。本実施形態１では、ワイヤーグリップ１４を介して各ワイヤー１１をワイヤー１１に取り付ける。具体的には、まず、各ワイヤー１１の両端部に、ワイヤーグリップ１４を取り付ける。その後、ワイヤーグリップ１４の端部を、２本のレール部材１３の保持溝がそれぞれスライド可能に保持するように該レール部材１３に取り付けることにより、各ワイヤー１１をレール部材１３に取り付ける。レール部材１３に取り付けた８本のワイヤー１１は、２本を一組として、各組の２本のワイヤー１１の間隔が、その間に吸音パネル２０を取り付け可能な間隔になるように各ワイヤー１１を配置する（図３の最も上側の図）。
【００４７】
［保持具取付工程］
保持具取付工程では、天井面と床面とに架け渡されたワイヤー１１のそれぞれに、保持具１５を８つずつ取り付ける。なお、本実施形態１では、保持具１５は、ワイヤー１１を取り付けた後でも、該ワイヤー１１の側方（断面方向）から取り付け可能に構成されているため、線条部材設置工程の後に、保持具取付工程を行う（図３の真中の図）。一方、保持具１５が、ワイヤー１１の側方から取り付けられない場合には、上記線条部材設置工程の前に、各ワイヤー１１に保持具１５を取り付けておく。つまり、上記線条部材設置工程の前に、各保持具１５の挿通孔にワイヤー１１を挿通させるなどして各保持具１５をワイヤー１１に取り付ける保持具取付工程を行う。
【００４８】
［パネル取付工程］
パネル取付工程では、ワイヤー１１に取り付けられた保持具１５に、吸音パネル２０を保持させる。具体的には、各吸音パネル２０に対応するように設けられた４つの保持具１５の挟持部の間隔を拡げ、対応する吸音パネル２０の左右の側縁部の上端と下端とを、各挟持部の間に挟み込んだ後、吸音パネル２０が脱落しなくなるまで、挟持部の間隔を狭める。このようにして、１６枚の吸音パネル２０を、保持具１５を介して、対応する２本のワイヤー１１に取り付ける（図３の最も下側の図）。
【００４９】
以上の各工程を行うことにより、１６枚の吸音パネル２０が、壁面Ｗと所定の距離を空けて該壁面Ｗに平行に設置される。
【００５０】
−実施形態１の効果−
以上のように、本吸音パネルシステム１０では、室内空間の上部から下部へ延びるようにワイヤー１１（線条部材）を設置し、このワイヤー１１に吸音パネル２０を取り付けることによって、吸音パネル２０が壁面Ｗから所定の距離を空けた所定の位置に設置されるように構成した。このような構成により、吸音パネル２０を壁面Ｗから所定の距離を空けた位置に容易に設置することができる。
【００５１】
また、本吸音パネルシステム１０では、保持具１５を介して吸音パネル２０をワイヤー１１に取り付けることとしている。そのため、例えば、吸音パネル２０の背後の壁面Ｗが、ガラスパネルなどの透明な材料で構成されている場合に、格子状の構造体に複数の吸音パネル２０を取り付けて自立させるような構成では、格子部分によって視認性と美観が低下してしまうが、本実施形態１では、上述のように細いワイヤー１１を用いているため、このような視認性と美観の低下を抑制することができる。
【００５２】
また、本吸音パネルシステム１０では、吸音パネル２０をワイヤー１１に取り付ける保持具１５として、吸音パネル２０を着脱自在に保持する保持具１５を用いることとした。そのため、ワイヤー１１を取り外すことなく、ワイヤー１１から吸音パネル２０を容易に取り外すことができる。よって、吸音パネル２０のメンテナンスや交換を容易に行うことができる。また、このような簡単な構成によれば、ワイヤー１１に沿って、複数の吸音パネル２０を並べて配置することも容易であり、また、このように複数の吸音パネル２０を取り付けた場合において、１枚の吸音パネル２０だけが破損した際にも、ワイヤー１１を取り外すことなく、１枚の吸音パネル２０のみをワイヤー１１から取り外すことができるため、補修作業を容易に行うことができる。
【００５３】
また、本吸音パネルシステム１０では、吸音パネル２０を、非常に細く目立たないワイヤー１１に取り付けることとしたため、背後の壁面Ｗが透明である場合に、該壁面Ｗの視認性の低下と美観の低下を招くことなく、吸音パネル２０を吸音性能のよい所定の位置に容易に設置することができる。また、場所をとらないワイヤー１１を用いることにより、コンパクトに吸音パネル２０を設置することができる。
【００５４】
また、本吸音パネルシステム１０では、各吸音パネル２０が２本のワイヤー１１に取り付けられることにより、各吸音パネル２０が揺れやすくなる。吸音パネル２０の背後には、壁面Ｗとの間に空気層が形成されているため、このように吸音パネル２０を揺れやすくすることにより、人や物が吸音パネル２０に衝突した際に、吸音パネル２０が揺れることによって衝撃が緩和され、吸音パネル２０や物が破損したり、人がけがをしたりすることを防止することができる。
【００５５】
また、本吸音パネルシステム１０では、吸音パネル２０が取り付けられる２本のワイヤー１１を、室内空間の上部（天井面）と下部（床面）とのそれぞれに互いに平行に設置された壁面に平行に延びるレール部材１３にスライド可能に取り付けることとした。このような構成により、吸音パネル２０を、保持具１５に取り付けて壁面Ｗの前に設置した状態で、２本のワイヤー１１をレール部材１３に沿ってスライドさせるだけで、吸音パネル２０の左右方向の位置を容易に変更することができる。これにより、その時々に合わせて、吸音パネル２０の位置を、吸音効果の高い位置に移動させることにより、少ない吸音パネル２０で高い吸音効果を奏することができる。また、このような構成によれば、吸音パネル２０が取り付けられる２本のワイヤー１１を容易に増設することができる。これにより、室内空間の使用状況に合わせて、設置する吸音パネル２０を容易に増やすことができ、吸音パネルシステム１０の吸音性能や意匠性を、状況に合わせて容易に変更することができる。
【００５６】
また、本吸音パネルシステム１０では、吸音パネル２０が透明なアクリルパネルで構成されているため、吸音パネル２０を設置することによる視認性の低下及び美観の低下を抑制することができる。また、背後の壁面Ｗが透明又は透光性を有する材料で構成されている場合に、吸音パネル２０によって壁面Ｗの外部からの光が遮られないので、吸音パネル２０を設けても、室内空間における採光を確保することができる。
【００５７】
また、本吸音パネルの設置方法によれば、室内空間の上部から下部へ延びるようにワイヤー１１を設置し、このワイヤー１１に吸音パネル２０を取り付けることによって、吸音パネル２０を壁面Ｗから所定の距離を空けた所定の位置に設置することとした。このような設置方法により、吸音パネル２０を壁面Ｗから所定の距離を空けた位置に容易に設置することができる。
【００５８】
また、本吸音パネルの設置方法によれば、吸音パネル２０を着脱自在に保持する保持具１５を用いて吸音パネル２０をワイヤー１１に取り付けることとしたため、逆に、吸音パネル２０を取り外す際にも、ワイヤー１１を取り外すことなく、保持具１５から吸音パネル２０を取り外すだけで容易に吸音パネル２０を取り外すことができる。よって、吸音パネル２０のメンテナンスや交換を容易に行うことができる。
【００５９】
さらに、本吸音パネルの設置方法によれば、吸音パネル２０が取り付けられるワイヤー１１を、室内空間の上部と下部のそれぞれに互いに平行に設置された壁面Ｗに平行に延びる２本のレール部材１３にスライド可能に取り付けることとしたため、吸音パネル２０をワイヤー１１に取り付けて壁面Ｗの前に設置した状態で、ワイヤー１１をレール部材１３に沿ってスライドさせるだけで、吸音パネル２０の左右方向の位置を容易に変更することができる。よって、吸音パネル２０の設置の際に、所望の位置からずれないように配慮する必要がなく、容易に設置することができる。
【００６０】
《発明の実施形態２》
実施形態２は、実施形態１の吸音パネルシステム１０の構成を一部変更したものである。
【００６１】
実施形態１では、各パネル列の４枚の吸音パネル２０は、それぞれ２本のワイヤー１１によって該２本のワイヤー１１の間に保持されていた。つまり、実施形態１では、各パネル列の間に２本のワイヤー１１を設置していた。これに対し、実施形態２では、図４に示すように、各パネル列の間にワイヤー１１を１本のみ設置し、この１本のワイヤー１１に両側のパネル列の吸音パネル２０を取り付け、該両側のパネル列の吸音パネル２０を支持する部材として兼用することとした。
【００６２】
具体的には、実施形態１では、一方の側部が吸音パネル２０の外縁部を挟持する挟持部に構成された保持具１５のみを用いていたが、実施形態２では、各パネル列の間に設置されたワイヤー１１には、両側が挟持部に構成された保持具１５ａを取り付け、この保持具１５ａに両側のパネル列の同じ高さ位置の吸音パネル２０の外縁部を挟持させることにより、１本のワイヤー１１にその両側の吸音パネル２０を取り付けている。
【００６３】
実施形態２によれば、実施形態１よりも少ない本数のワイヤー１１で、実施形態１と同数の吸音パネル２０を取り付けることができるため、よりコンパクトに、より容易に吸音パネル２０を設置することができる。また、各パネル列の間の間隔を狭くすることができるので、単位面積当たりの吸音率を向上させることができる。
【００６４】
《その他の実施形態》
上記各実施形態では、吸音パネル２０を、多数の微細孔が形成された透明のアクリル板によって構成していたが、吸音パネル２０はいかなる構成のものであってもよい。例えば、不透明のパネルを用いてもよく、また、多孔質部材で構成されたパネルを用いてもよい。さらに、パネル状であればファブリック製品などの吸音可能なものを用いてもよい。
【００６５】
また、上記各実施形態では、天井面と床面とのそれぞれに１つずつレール部材１３を設けることとしていたが、天井面と床面とのそれぞれにレール部材１３を２列以上設けることとしてもよい。吸音パネル２０と壁面Ｗとの距離が大きくなると、吸音パネル２０には、比較的低い周波数領域の音が吸収され、逆に、吸音パネル２０と壁面Ｗとの距離が小さくなると、吸音パネル２０には、比較的高い周波数領域の音が吸収される。そのため、天井面と床面とのそれぞれにレール部材１３を２列以上設けておくことにより、室内空間で発生する音の周波数領域に合わせて、ワイヤー１１が取り付けられるレール部材１３を変更することが可能となる。
【００６６】
また、上記各実施形態において、天井面に設けていたレール部材１３を壁面Ｗの上部に取り付け、該レール部材１３にスライド自在に保持されたワイヤーグリップ１４によって線条部材としてのワイヤー１１の上部が保持される構成であってもよい。
【００６７】
また、上記各実施形態では、レール部材１３とワイヤーグリップ１４とを用いて線条部材としてのワイヤー１１を、室内空間の上部から下部へ延びるように設置していたが、線条部材の設置手法はこれらに限られない。レール部材１３を設けずに、ワイヤー１１の上端部と下端部とを、天井面と床面とにビスやボルト等で直接固定するようにしてもよい。また、壁面Ｗの上部から垂直に延びる棒状部材にワイヤー１１の上端部を固定することとしてもよい。さらに、ワイヤー１１の下端部を床面に固定するのではなく、ワイヤー１１の下端部に錘を取り付け、上端部が固定されたワイヤー１１を下端部の錘で下方に引っ張り、鉛直方向に延びるように設置するものであってもよい。
【００６８】
また、上記各実施形態では、本発明に係る線条部材がワイヤー１１によって構成されていたが、線条部材は、吸音パネル２０を支持可能な構成であれば、上記実施形態１，２の構成に限られない。線条部材は、例えば、１本の金属製の棒状部材によって構成されていてもよい。また、実施形態２では、１本のワイヤー１１の両側に吸音パネル２０を取り付けていたが、片側のみに取り付ける構成にしてもよい。
【００６９】
また、上記各実施形態では、着脱自在な保持具１５に吸音パネル２０を保持させることにより、吸音パネル２０を線条部材としてのワイヤー１１に取り付けることとしていたが、吸音パネル２０の線条部材への取付手法はこれに限られない。接着剤や粘着テープ等を用いて吸音パネル２０をワイヤー１１に取り付けることとしてもよい。
【産業上の利用可能性】
【００７０】
以上説明したように、本発明は、室内空間を形成する壁面と所定の間隔を空けて該壁面に平行に吸音パネルを設置する吸音パネルシステム、及び、室内空間を形成する壁面と所定の間隔を空けて該壁面に平行に吸音パネルを設置する吸音パネルの設置方法について有用である。
【符号の説明】
【００７１】
１０      吸音パネルシステム
１１      ワイヤー（線条部材）
１３      レール部材
１５      保持具
２０      吸音パネル
【図１】
2018031121.tif 000003
【図２】
2018031121.tif 000004
【図３】
2018031121.tif 000005
【図４】
2018031121.tif 000006